(57)【要約】  針によって貫通可能な隔壁を有する植え込み型皮下アクセスポートを含む医療機器であって、この隔壁は、外壁と内壁との間に位置するキャビティを有し、このキャビティは、流動性媒体を含み、この流動性媒体は、針が外壁を通して且つキャビティ内に刺入されることに応答して移動し、且つ針の周りに再配置されるように配置された複数の移動可能な粒子を含む、医療機器。【選択図】図２
2019524398.tif 000002
【特許請求の範囲】
【請求項１】
針によって貫通可能な隔壁を有する植え込み型皮下アクセスポートを含む医療機器であって、前記隔壁は、外壁と内壁との間に位置するキャビティを有し、前記キャビティは、流動性媒体を含み、前記流動性媒体は、前記針が前記外壁を通して且つ前記キャビティ内に刺入されることに応答して移動し、且つ前記針の周りに再配置されるように配置された複数の移動可能な粒子を含む、医療機器。
【請求項２】
前記複数の移動可能な粒子のそれぞれは、抗菌化合物を含む、請求項１に記載の医療機器。
【請求項３】
前記抗菌化合物は、消毒剤、抗生物質、抗菌剤、抗ウイルス剤及び駆虫剤の少なくとも１つを含む、請求項２に記載の医療機器。
【請求項４】
前記複数の移動可能な粒子のそれぞれは、気体媒体中に配置されている、請求項１に記載の医療機器。
【請求項５】
前記気体媒体は、窒素ガスを含む、請求項４に記載の医療機器。
【請求項６】
前記複数の移動可能な粒子のそれぞれは、液体媒体中に配置されている、請求項１に記載の医療機器。
【請求項７】
前記液体媒体は、抗菌化合物及び前記針による刺入に応答して前記キャビティをシールするためのシール化合物の少なくとも１つを含む、請求項６に記載の医療機器。
【請求項８】
前記複数の移動可能な粒子のそれぞれは、実質的に球形である、請求項１に記載の医療機器。
【請求項９】
前記複数の移動可能な粒子のそれぞれは、少なくとも０．０１８インチの寸法サイズを有する、請求項１に記載の医療機器。
【請求項１０】
前記複数の移動可能な粒子のそれぞれは、外側コーティングを有する、請求項１に記載の医療機器。
【請求項１１】
前記外側コーティングは、抗菌化合物及び前記針の前記キャビティ内への刺入に応答して前記針の周りをシールするためのシール化合物の少なくとも１つを含む、請求項１０に記載の医療機器。
【請求項１２】
前記複数の移動可能な粒子のそれぞれは、変形可能及び圧縮可能の少なくとも１つである、請求項１に記載の医療機器。
【請求項１３】
前記複数の移動可能な粒子のそれぞれは、プラスチックで形成されている、請求項１に記載の医療機器。
【請求項１４】
前記複数の移動可能な粒子は、少なくとも２つの異なる形状の粒子を含む、請求項１に記載の医療機器。
【請求項１５】
前記複数の移動可能な粒子は、少なくとも２つの異なるサイズの粒子を含む、請求項１に記載の医療機器。
【請求項１６】
前記隔壁は、前記アクセスポート内のチャンバを覆い、及び
前記チャンバは、カテーテルの管腔と流体連通している、請求項１に記載の医療機器。
【請求項１７】
前記隔壁は、プラスチックで形成されている、請求項１に記載の医療機器。
【請求項１８】
前記隔壁は、エラストマーで形成されている、請求項１に記載の医療機器。
【請求項１９】
前記隔壁は、シリコーンで形成されている、請求項１に記載の医療機器。
【請求項２０】
医療機器を操作する方法であって、
針を植え込み型皮下アクセスポートの隔壁に刺入することであって、それにより、前記針は、前記針が前記隔壁に刺入されると、前記隔壁内の微粒子状媒体の複数の粒子を移動させる、刺入することと、
前記針を、前記隔壁を通して且つ前記隔壁の下側の前記アクセスポートのチャンバ内に刺入することと、
前記針を通して前記アクセスポートの前記チャンバから流体を送達すること及び取り除くことの少なくとも１つと
を含む方法。
【発明の詳細な説明】
【技術分野】
【０００１】
関連出願の相互参照
本出願は、参照により本明細書に組み入れられる、２０１６年７月７日に出願された米国仮特許出願第６２／３５９，４４２号の利益を主張する。
【０００２】
分野
本開示は、医療機器に関し、特にそのアクセスポート及び隔壁に関する。
【背景技術】
【０００３】
背景
植え込み型皮下アクセスポートが配置されると、このポートのシリコーン隔壁は、典型的には、そのポートの外部から針で刺入される。一般に、ヒューバー針又は偏向したノンコアリング先端を有する針を使用して、隔壁を介してポートのチャンバにアクセスする。この隔壁は、針によって複数回貫通されることから、「自己密封式」又は「再シール可能」と呼ばれることがある。
【０００４】
過度の隔壁の損傷及び関連する漏れを阻止するために、針のサイズは、通常、比較的小さく、２０〜２１ゲージの範囲である。それでも、針による進入ごとに隔壁の完全性が低下することが理解され得る。さらに、より大きい針のサイズ、例えば１４〜１７ゲージが流体のより高い流量を容易にするために望ましい。しかしながら、大きいゲージの皮下注射針は、植え込み型ポートの隔壁をさらに損傷させ得る。
【発明の概要】
【課題を解決するための手段】
【０００５】
概要
本開示は、繰り返しの針の刺入による損傷を受けにくい可能性がある隔壁、特にアクセスポートを提供する。
【０００６】
少なくとも１つの実施形態では、本開示は、針によって貫通可能な隔壁を有するアクセスポートを含む医療機器であって、この隔壁は、外壁と内壁との間に位置するキャビティを有し、このキャビティは、流動性媒体を含み、この流動性媒体は、針が外壁を通して且つキャビティ内に刺入されることに応答して移動し、且つ針の周りに再配置されるように配置された複数の移動可能な粒子を含む、医療機器を提供する。
【０００７】
少なくとも１つの実施形態では、複数の移動可能な粒子のそれぞれは、抗菌化合物を含む。
【０００８】
少なくとも１つの実施形態では、抗菌化合物は、消毒剤、抗生物質、抗菌剤、抗ウイルス剤及び駆虫剤の少なくとも１つを含む。
【０００９】
少なくとも１つの実施形態では、複数の移動可能な粒子のそれぞれは、気体媒体中に配置されている。少なくとも１つの実施形態では、気体媒体は、窒素ガスを含む。
【００１０】
少なくとも１つの実施形態では、複数の移動可能な粒子のそれぞれは、液体媒体中に配置されている。
【００１１】
少なくとも１つの実施形態では、液体媒体は、抗菌化合物及び針による刺入に応答してキャビティをシールするためのシール化合物の少なくとも１つを含む。
【００１２】
少なくとも１つの実施形態では、複数の移動可能な粒子のそれぞれは、実質的に球形である。
【００１３】
少なくとも１つの実施形態では、複数の移動可能な粒子のそれぞれは、少なくとも０．０１８インチの寸法サイズを有する。
【００１４】
少なくとも１つの実施形態では、複数の移動可能な粒子のそれぞれは、外側コーティングを有する。
【００１５】
少なくとも１つの実施形態では、外側コーティングは、抗菌化合物及び針のキャビティ内への刺入に応答して針の周りをシールするためのシール化合物の少なくとも１つを含む。
【００１６】
少なくとも１つの実施形態では、複数の移動可能な粒子のそれぞれは、変形可能及び圧縮可能の少なくとも１つである。
【００１７】
少なくとも１つの実施形態では、複数の移動可能な粒子のそれぞれは、プラスチックで形成されている。
【００１８】
少なくとも１つの実施形態では、複数の移動可能な粒子は、少なくとも２つの異なる形状の粒子を含む。
【００１９】
少なくとも１つの実施形態では、複数の移動可能な粒子は、少なくとも２つの異なるサイズの粒子を含む。
【００２０】
少なくとも１つの実施形態では、隔壁は、アクセスポート内のチャンバを覆い、及びこのチャンバは、カテーテルの管腔と流体連通している。
【００２１】
少なくとも１つの実施形態では、隔壁は、プラスチック、特にシリコーンなどのエラストマーで形成されている。
【００２２】
少なくとも１つの実施形態では、本開示は、医療機器を操作する方法であって、針を植え込み型皮下アクセスポートの隔壁に刺入することであって、それにより、この針は、針が隔壁に刺入されると、隔壁内の微粒子状媒体の複数の粒子を移動させる、刺入することと、この針を、隔壁を通して且つ隔壁の下側のアクセスポートのチャンバ内に刺入することと、この針を通してアクセスポートのチャンバから流体を送達すること及び取り除くことの少なくとも１つとを含む方法を提供する。
【００２３】
図
本開示の上記及び他の特徴並びにこれらを達成する方法は、添付の図面と併せて、本明細書に記載の実施形態の以下の説明を参照することによってより明らかになり、よりよく理解されるであろう。
【図面の簡単な説明】
【００２４】
【図１】本開示によるアクセスポート隔壁を含むアクセスポートの断面図である。
【図２】針が刺入されている、図１のアクセスポート隔壁を含むアクセスポートの断面図である。
【図３Ａ】本開示による例示的な粒子である。
【図３Ｂ】本開示による例示的な粒子である。
【図３Ｃ】本開示による例示的な粒子である。
【図３Ｄ】本開示による例示的な粒子である
【図３Ｅ】本開示による例示的な粒子である。
【図３Ｆ】本開示による例示的な粒子である。
【図３Ｇ】本開示による例示的な粒子である。
【発明を実施するための形態】
【００２５】
詳細な説明
本開示は、その適用において、以下の説明に記載されるか又は図面に例示される構成要素の構造及び配置の詳細に限定されないことが理解され得る。本明細書における本発明は、他の実施形態が可能であり、様々な方法で実施又は実行することができる。また、本明細書で使用される表現及び用語は、説明が目的であり、当業者によって理解され得るように限定として見なすべきではないことが理解され得る。
【００２６】
ここで、図１及び図２を参照すると、医療機器、特にアクセスポート本体１１０及びこのアクセスポート本体１１０内の隔壁１２０を含む埋め込み型（皮下）アクセスポート１００が示されており、この隔壁は、針２００（例えば、ノンコアリング針（例えば、ヒューバー）によって刺入可能であり、変形可能な外側シェル１４０内に含められた内部コア１４２を有する。外側シェル１４０は、外壁層１５０と、コア１４２を含む密閉キャビティ１５４を画定する内壁層１５２とを含み得る。外側シェル１４０、より具体的には外壁層１５０及び内壁層１５２は、複数回の貫通に適した可撓性の自己密閉性（再シール可能）弾性エラストマー（例えば、シリコーン、ゴム、ＰＴＦＥ／シリコーン混合物、ＰＴＦＥ／ゴム混合物）組成物で形成され得る。外壁層１５０の外面１５８は、消毒剤、抗生物質、抗菌剤、抗ウイルス剤及び駆虫剤の少なくとも１つを含み得る、微生物を死滅させるための抗菌化合物でコーティングすることができる。
【００２７】
隔壁１２０が可撓性／変形可能な組成物で形成されていることを考慮すると、キャビティ１５４は、特に針２００の刺入から生じる外側可撓性シェル１４０の変形と共に変形可能であり得ることが理解され得る。外側シェル１４０によって形成されたキャビティ１５４は、コア１４２を提供するために流動性媒体１６０で少なくとも部分的に充填（例えば、少なくとも５０容量％充填）することができ、特に流動性媒体１６０で実質的に充填（例えば、少なくとも７５容量％充填、特に少なくとも８５容量％充填）することができる。
【００２８】
媒体１６０は、針２００が外壁層１５０を介してキャビティ１５４内に刺入されることに応答して移動するように配置された移動可能な粒子１６２の微粒子状物質を含み得る。この点に関して、移動可能な粒子１６２は、自由流動性、すなわちいずれにも付着せず、互いに自由に動くことができ、互いに粘着結合して凝集体を実質的に形成しない粒子であることが理解され得る。本実施形態では、粒子１６２間の間隙１５６などのキャビティ１５４の残りの部分は、大気圧下で窒素ガスなどの気体媒体で充填することができる。粒子１６２は、コア１４２の媒体領域において規則正しいパターンを有するように示され得るが、この粒子１６２は、ランダム又は規則的な任意のパターンを示し得る。
【００２９】
ここで、図２を参照すると、針２００がシェル１４０の外壁層１５０に刺入されて貫通し、キャビティ１５４内のコア１４２の粒子１６２を通るとき、この粒子１６２を含む媒体１６０の流動性により、針２００の遠位先端部２０２に隣接した粒子１６２が移動して、外壁層１５０を通るキャビティ１５４内への針２００の刺入経路を提供し、且つ針２００のシャフト２０４の周りに流れる（再配置される）。これにより、隔壁１２０の外壁層１５０によって提供されるシールが強化され得る。刺入し続けると、次に、針２００は、外側シェル１４０の内壁層１５２を通して且つアクセスポート１００の流体チャンバ１１２内に進入することができ、そこで、針２００は、チャンバ１１２及び取り付けられたカテーテル２２０の管腔２２２と流体連通することになる。次いで、針２００を使用して流体（液体）を流体チャンバ１１２内に、取り付けられたカテーテル２２０の管腔２２２内に、且つさらに宿主（例えば、患者）内に送達することができ、又は代替的に、次いで針２００を使用して流体（液体）を流体チャンバ１１２から、取り付けられたカテーテル２２０の管腔２２２から、且つさらに宿主（例えば、患者）から除去することができる。本明細書で企図される針２００は、１２ゲージから２１ゲージの範囲のゲージサイズ（例えば、１２、１３、１４、１５、１６、１７、１８、１９、２０、２１又は２２ゲージ）及びこれらの中の任意の範囲を有し得る。
【００３０】
図３Ａを参照すると、微生物が隔壁１２０に侵入することを防止するために、粒子１６２は、それぞれ抗菌化合物を含むことができ、この抗菌化合物は、粒子１６２の外面１６４上にコーティングとして提供され得る。この抗菌化合物は、消毒剤、抗生物質、抗菌剤、抗ウイルス剤及び駆虫剤の少なくとも１つを含み得る。コーティングは、針２００のキャビティ１５４内への刺入に応答して針２００の周りをシールするためのシール化合物も含み得る。
【００３１】
他の実施形態では、キャビティ１５４内の媒体１６０は、粒子１６２間の間隙１５６を満たす液体媒体１７０も含み得る。液体媒体は、抗菌化合物及び針２００による刺入に応答してキャビティ１５４をシールするためのシール化合物の少なくとも１つを含み得る。この点に関して、コア１４２は、連続相（すなわち液体１７０）中に分散した不連続相（すなわち粒子１６２）を含む複合材料と見なすことができる。
【００３２】
再び図３Ａを参照すると、媒体粒子１６２は、球体に近い楕円体として理解され得る、回転楕円体の球形などの少なくとも実質的に球形であり得る。本明細書で使用されるように、粒子１６２は、その長軸とその短軸との間の長さの差が２０％未満、特に１０％未満である場合、実質的に球形と見なすこともできる。粒子１６２は、完全に球形でもあり得る（すなわち、長軸の長さ及び短軸の長さが同じである）。
【００３３】
少なくとも実質的に球形である以外に、粒子１６２は、図３Ｂに示されるように長円形／長楕円形、図３Ｃに示されるように卵形、又は図３Ｄに示されるように円筒形などの他の形状を有し得る。微粒子状物質を構成する粒子１６２は、全て同じ形状を有し得、又は粒子１６２は、球形と円筒形との組み合わせ（すなわち混合形状の粒子）などの２つ以上の異なる形状を有し得る。微粒子状物質を構成する粒子１６２は、全て同じサイズを有し得、又は粒子１６２は、小さい粒子、中程度（中間）の粒子及び大きい粒子の組み合わせ、又は微細粒子と巨視的粒子との組み合わせ（すなわち混合されたサイズの粒子）などの２つ以上の異なるサイズを有し得る。微粒子状物質を構成する粒子１６２は、少なくとも２つの異なる形状及び少なくとも２つの異なるサイズも有し得る。
【００３４】
粒子１６２は、この粒子１６２が針２００に進入して、この針の管腔又は遠位端部の開口を閉塞することができないように、針の内径より大きい寸法サイズ、すなわち針２００の管腔２０６の直径及び遠位端部の開口より大きい寸法サイズを有するべきである。
【００３５】
粒子１６２は、使用される針２００の管腔２０６の直径より少なくとも５％大きい、特に使用される針の直径より少なくとも１０％大きい、特に使用される針の直径より少なくとも１５％大きい寸法サイズ（例えば、直径）を有することができる。
【００３６】
例として、２２以下のゲージを有する針サイズを使用するために、粒子１６２は、少なくとも０．０１８インチ（換言すれば、０．０１８インチ以上）、特に少なくとも０．０２８インチの寸法サイズ（例えば、直径などの断面長）を有することができる。２１以下のゲージを有する針サイズの場合、粒子１６２は、少なくとも０．０２２インチ、特に少なくとも０．０３２インチの寸法サイズ（例えば、直径）を有することができる。２０以下のゲージを有する針サイズの場合、粒子１６２は、少なくとも０．０２６インチ、特に少なくとも０．０３６インチの寸法サイズ（例えば、直径）を有することができる。１９以下のゲージを有する針サイズの場合、粒子１６２は、少なくとも０．０３０インチ、特に少なくとも０．０４０インチの寸法サイズ（例えば、直径）を有することができる。１８以下のゲージを有する針サイズの場合、粒子１６２は、少なくとも０．０３６インチ、特に少なくとも０．０４６インチの寸法サイズ（例えば、直径）を有することができる。１７以下のゲージを有する針サイズの場合、粒子１６２は、少なくとも０．０４５インチ、特に少なくとも０．０５５インチの寸法サイズ（例えば、直径）を有することができる。１６以下のゲージを有する針サイズの場合、粒子１６２は、少なくとも０．０５０インチ、特に少なくとも０．０６０インチの寸法サイズ（例えば、直径）を有することができる。１５以下のゲージを有する針サイズの場合、粒子１６２は、少なくとも０．０５７インチ、特に少なくとも０．０６７インチの寸法サイズ（例えば、直径）を有することができる。１４以下のゲージを有する針サイズの場合、粒子１６２は、少なくとも０．０６７インチ、特に少なくとも０．０７７インチの寸法サイズ（例えば、直径）を有することができる。
【００３７】
特定の実施形態では、粒子１６２は、プラスチック、セラミック及び金属を含むか、本質的にこれらからなるか、又はこれらからなることができる。特定の実施形態では、粒子１６２は、中実（図３Ａ）又は例えば図３Ｅに示されているような発泡体に形成された多孔質の壁構造を有することができる。特定の実施形態では、粒子１６２は、図３Ｆに示されているように外側シェル１６６内に中空内部キャビティ１６８を有することができる。特定の実施形態では、複数の移動可能な粒子は、図３Ｇに示されているように内部コア１６９を封入する外側シェル１６６を有することができる。内部コア１６９は、粒子１６２が刺入された場合、抗菌化合物及び針がキャビティ１５４内に刺入することに応答してキャビティをシールするためのシール化合物の少なくとも１つを含み得る。
【００３８】
プラスチック、特にエラストマーで形成された粒子１６２は、針の周り及び針に対して変形してシールを提供するように、針２００の刺入によって生じる力／圧力下で弾性的に変形可能及び／又は圧縮可能であり得る。
【００３９】
プラスチック、特に発泡体（図３Ｅ）で形成され且つ／又は中空（図３Ｆ）である粒子１６２は、針の周り及び針に対して変形してシールを提供するように、針２００の刺入によって生じる力／圧力下で弾性的に変形可能及び／又は圧縮可能であり得る。
【００４０】
内部コア１６９は、粒子１６２が針の周り及び針に対して変形してシールを提供するように、粒子１６２が針２００の刺入によって生じる力／圧力下でより弾性的に変形可能及び／又は圧縮可能であるように液体で形成され得る。
【００４１】
針の繰り返しの刺入及びそれに伴うシリコーンの切断によって隔壁が最終的に断片化することが予期され得る従来の自己密閉シリコーン隔壁と異なり、粒子１６２の流動能力により、粒子１６２が針２００によって損傷を受けないように針２００の刺入中に粒子１６２が移動することができる。加えて、粒子１６２の流動性により、針２００が隔壁１２０から取り外されたときに粒子１６２が針２００の経路を満たすことができる。さらに、粒子１６２は、あらゆる流体又は有機物質の過度の侵入を防止する曲がりくねった流路を形成する。それぞれの針の刺入による粒子１６２の再配置は、全ての隣接する生物学的コロニーを中断することにより、生物学的増殖を阻害することもできる。
【００４２】
本発明の好ましい実施形態を説明してきたが、本発明の趣旨及び添付の特許請求の範囲から逸脱することなく、様々な変更形態、適応形態及び修正形態がなされ得ることを理解されたい。従って、本発明の範囲は、上記の説明を参照して決定されるべきではなく、代わりに添付の特許請求の範囲をその均等物の全範囲と一緒に参照して決定されるべきである。さらに、添付の特許請求の範囲は、本出願人が請求する権利を有する本発明の最も広い範囲を必ずしも含むものでも、本発明を請求することができる方法のみを必ずしも含むものでもないこと、又は記載される全ての特徴が必要であることを理解されたい。
【符号の説明】
【００４３】
参照符号のリスト
１００  アクセスポート
１１０  アクセスポート本体
１１２  チャンバ
１２０  アクセスポート隔壁
１４０  外側シェル
１４２  内部コア
１５０  外壁層
１５２  内壁層
１５４  キャビティ
１５６  間隙
１５８  外面
１６０  媒体
１６２  粒子
１６４  外面
１６６  外側シェル
１６８  内部キャビティ
１６９  内部コア
１７０  流体（液体）
２００  膜を刺入する管／針
２０２  先端部
２０４  シャフト
２０６  管腔
２２０  カテーテル
２２２  管腔
【図１】
2019524398.tif 000003
【図２】
2019524398.tif 000004
【図３Ａ】
2019524398.tif 000005
【図３Ｂ】
2019524398.tif 000006
【図３Ｃ】
2019524398.tif 000007
【図３Ｄ】
2019524398.tif 000008
【図３Ｅ】
2019524398.tif 000009
【図３Ｆ】
2019524398.tif 000010
【図３Ｇ】
2019524398.tif 000011
【国際調査報告】
2019524398.tif 000012